(57)【要約】テキストとグラフィックの両方又は一方を提示する電子ブックは、テキストとグラフィックの両方又は一方を符号化しているパターンを有するデータカードをスキャンするためのスキャナを含んでいる。この電子ブックは、テキストとグラフィックの両方又は一方を復号するためのプログラム駆動式プロセッサと、テキストとグラフィックの両方又は一方を表示するための画面とを更に含んでいる。好ましい実施形態においては、電子ブックは、フレキシブルかつ折りたたみ可能な画面を含んでいる小型軽量な折りたたみ可能なハウジング内に設けられており、外観は従来の書籍に類似している。ハウジングは、折りたたまれた画面が折れ曲がりに起因して損傷することなく湾曲していることを可能にするくぼみを有するスパインを含んでいる。【選択図】図６
2005500633.tif 000002
【特許請求の範囲】
【請求項１】
電子テキストとグラフィックの両方又は一方のプレゼンテーション装置であって、
テキストとグラフィックの両方又は一方を符号化しているパターンをスキャンするように装置されているスキャン手段と、
ユーザ入力制御手段と、
前記スキャン手段に結合されており、かつ前記ユーザ入力制御手段に応答して前記テキストとグラフィックの両方又は一方に対応するデータ信号を生成するように機能的にプログラムされている、処理手段と、
前記処理手段によって制御され、かつ、前記処理手段に応答して前記テキストとグラフィックの両方又は一方を表示するように装置されている、表示手段と、
を備える、電子テキストとグラフィックの両方又は一方のプレゼンテーション装置。
【請求項２】
互いに対して枢動する第１及び第２のハウジング部分とを備えている折りたたみ可能なハウジングを備える、請求項１に記載の、電子テキストとグラフィックの両方又は一方のプレゼンテーション装置。
【請求項３】
前記第１及び第２のハウジング部分とが、それぞれ共通のスパインに枢動可能に結合されている、請求項２に記載の、電子テキストとグラフィックの両方又は一方のプレゼンテーション装置。
【請求項４】
前記スパインがバッテリ室を含む、請求項３に記載の、電子テキストとグラフィックの両方又は一方のプレゼンテーション装置。
【請求項５】
前記パターンがカード上に形成されており、かつ、前記装置が、前記カードを前記装置の中に引き込むように装置されているローラー機構を含んでいる、請求項１に記載の、電子テキストとグラフィックの両方又は一方のプレゼンテーション装置。
【請求項６】
前記パターンがカード上に形成されており、かつ、前記装置が、前記カードを前記装置の中に引き込むように装置されているローラー機構を含んでいる、請求項２に記載の、電子テキストとグラフィックの両方又は一方のプレゼンテーション装置。
【請求項７】
前記ローラー機構が、前記第１のハウジング部分に組み込まれている、請求項６に記載の、電子テキストとグラフィックの両方又は一方のプレゼンテーション装置。
【請求項８】
前記第１のハウジング部分が、前記第１の部分の中に引き込まれているカードを観察するウィンドウを含んでいる、請求項７に記載の、電子テキストとグラフィックの両方又は一方のプレゼンテーション装置。
【請求項９】
テキストとグラフィックの両方又は一方を符号化している前記パターンが、カード上に形成されており、かつ、前記装置が、カードストレージマガジンを更に含んでいる、請求項１に記載の、電子テキストとグラフィックの両方又は一方のプレゼンテーション装置。
【請求項１０】
テキストとグラフィックの両方又は一方を符号化している前記パターンが、カード上に形成されており、かつ、前記装置が、カードストレージマガジンを更に含んでいる、請求項２に記載の、電子テキストとグラフィックの両方又は一方のプレゼンテーション装置。
【請求項１１】
前記表示手段が、前記第１及び第２のハウジング部分の内面全体にわたって配置されているフレキシブルなＬＣＤ画面を備えている、請求項２に記載の、電子テキストとグラフィックの両方又は一方のプレゼンテーション装置。
【請求項１２】
前記フレキシブルなＬＣＤ画面が双安定である、請求項１１に記載の、電子テキストとグラフィックの両方又は一方のプレゼンテーション装置。
【請求項１３】
前記第１及び第２のハウジング部分とを閉ポジションに枢動させたときにフレキシブルなＬＣＤ画面の折れ曲がりを回避するために前記ＬＣＤ画面の湾曲形状を受け入れるためのくぼみを含んでいる、請求項３に記載の、電子テキストとグラフィックの両方又は一方のプレゼンテーション装置。
【請求項１４】
第１及び第２のプリント回路基板が、それぞれ前記第１及び第２のハウジング部分の中に配置されている、請求項２に記載の、電子テキストとグラフィックの両方又は一方のプレゼンテーション装置。
【請求項１５】
前記フレキシブルなＬＣＤ画面が、前記第１及び第２のプリント回路基板とを互いに結合している導電トレースを含んでいる、請求項１４に記載の、電子テキストとグラフィックの両方又は一方のプレゼンテーション装置。
【請求項１６】
前記ユーザ入力制御手段が、ジョイスティックアセンブリを備えている、請求項１に記載の、電子テキストとグラフィックの両方又は一方のプレゼンテーション装置。
【請求項１７】
テキストとグラフィックの両方又は一方に対応するパターンをスキャンするように装置されているスキャンヘッドと、
前記スキャナに結合されており、かつ前記テキストとグラフィックの両方又は一方に対応するデータを生成するように構成されているプロセッサと、
プロセッサに応答して前記テキストとグラフィックの両方又は一方を表示するように装置されているディスプレイ画面と、
を含んでいる、電子テキストとグラフィックの両方又は一方のプレゼンテーション装置。
【請求項１８】
テキストとグラフィックの両方又は一方を配布する方法であって、
前記テキストとグラフィックの両方又は一方を複数のカード上に印刷パターンとして符号化するステップと、
前記カードを複数のユーザに配布するステップと、
前記パターンを可読テキストに変換する手段を含んでいる、電子テキストとグラフィックの両方又は一方のプレゼンテーション装置を前記ユーザのそれぞれに提供するステップと、
を含んでいる、方法。
【発明の詳細な説明】
【発明の分野】
【０００１】
本発明は、テキストとグラフィックの両方又は一方、例えば本又は雑誌のテキストとそれに関連する絵を、電子画面上に提示する装置である電子ブック又は「イーブック（ｅ−ｂｏｏｋ）」に関する。このような装置は、代表的には、ディスプレイ画面、例えばプログラム化されているマイクロプロセッサによって制御されるＬＣＤ画面を備えている。マイクロプロセッサは、Ｍｉｃｒｏ−ＣＤ−ＲＯＭなどのデータストレージメディアや、ＰＣＭＩＡカードなどのメモリカードからデータを読み取り、そのデータを、ＬＣＤ画面に表示されるテキストとグラフィックの両方又は一方に変換する。
【関連技術の説明】
【０００２】
市販されている電子ブックの１つは、ＲＣＡから購入することのできるＲＥＢ１１００である。この装置は、モノクロＬＣＤタッチスクリーンと、デジタルのブックデータをリモートデータベースから装置の８ＭＢメモリにダウンロードすることを可能にする内蔵３３．６  ｋｂｐｓ  ｖ．３４対応モデムとを有する。
【０００３】
米国特許第６，２２９，５０２号明細書には、ＰＣＭＩＡカードなどのＲＯＭからデジタルのブックデータを読み取るように構成されている電子ブックが説明されている。
【０００４】
マクマホーン（ＭｃＭａｈｏｎ）に対する米国特許第６，０３７，９５４号明細書には、Ｍｉｃｒｏ−ＣＤ−ＲＯＭ上に符号化されているデジタルのブックデータを読み取るためのＭｉｃｒｏ−ＣＤ−ＲＯＭドライブを含んでいる電子ブックが説明されている。
【０００５】
これらの装置の１つの問題は、実施するのが比較的に高価かつ複雑であるデータストレージ又は配布システムに装置が依存していることである。
【発明の概要】
【０００６】
本発明の目的は、持ち運びに便利な低コスト、高容量のメディア上に符号化されているブックデータを読み取ることのできる、電子テキストとグラフィックの両方又は一方のプレゼンテーション装置を提供することである。
【０００７】
本発明によると、電子テキストとグラフィックの両方又は一方のプレゼンテーション装置であって、
テキストとグラフィックの両方又は一方を符号化しているパターンをスキャンするように装置されているスキャン手段と、
ユーザ入力制御手段と、
スキャン手段に結合されており、かつユーザ入力制御手段に応答してテキストとグラフィックの両方又は一方に対応するデータ信号を生成するように機能的にプログラムされている、処理手段と、
処理手段によって制御され、かつ、処理手段に応答してテキストとグラフィックの両方又は一方を表示するように装置されている、表示手段と、
を含む、プレゼンテーション装置が提供される。
【０００８】
装置は、小型軽量であるように、互いに対して枢動する第１及び第２のハウジング部分とを備えている折りたたみ可能なハウジングを含んでいることが好ましい。
【０００９】
好ましい実施形態によると、第１及び第２のハウジング部分は、それぞれが共通のスパイン（ｓｐｉｎｅ）に枢動可能に結合されている。
【００１０】
装置に給電するためのバッテリは、スパイン内に形成されているバッテリ室に都合よく配置することができる。
【００１１】
望ましくは、パターンがカード上に形成され、この装置が、このカードを装置の中に引き込むように装置されているローラー機構を含んでいることが望ましい。
【００１２】
好ましい実施形態においては、ローラー機構は、第１のハウジング部分に組み込まれている。
【００１３】
装置のユーザが、装置にカードが装填されているか否かを容易に判断することができるように、第１の部分が、第１の部分の中に引き込まれているカードを観察するウィンドウを含んでいることができる。
【００１４】
装置は、第２の部分に配置することのできるカード収納マガジンを含んでいることが好ましい。
【００１５】
表示手段は、第１及び第２のハウジング部分の内面全体にわたって配置されているフレキシブルなＬＣＤ画面を備えていることができる。
【００１６】
電力消費量を低減させるために、フレキシブルなＬＣＤ画面は双安定タイプであることが有利である。
【００１７】
ハウジングは、第１及び第２のハウジング部分とを閉ポジションに枢動させたときにＬＣＤ画面の折れ曲がりを回避するためにＬＣＤ画面の湾曲形状を受け入れるための、例えばスパイン内に形成されているくぼみを含んでいることが好ましい。
【００１８】
小型軽量な構造とすることができるように、第１及び第２のプリント回路基板が、それぞれ第１及び第２のハウジング部分の中に配置されていることが好ましい。
【００１９】
フレキシブルなＬＣＤ画面は、第１及び第２のプリント回路基板とを互いに結合している導電トレースを含んでいることができる。
【００２０】
好ましい実施形態においては、ユーザ入力制御手段は、ジョイスティックアセンブリを備えている。
【００２１】
本発明のさらなる面によると、電子テキストとグラフィックの両方又は一方のプレゼンテーション装置であって、
テキストとグラフィックの両方又は一方に対応するパターンをスキャンするように装置されているスキャンヘッドと、
スキャナに結合されており、かつテキストとグラフィックの両方又は一方に対応するデータを生成するように構成されているプロセッサと、
プロセッサに応答してテキストとグラフィックの両方又は一方を表示するように装置されているディスプレイ画面と、
を含んでいる、電子テキストとグラフィックの両方又は一方のプレゼンテーション装置が提供される。
【００２２】
本発明の最後の面によると、テキストとグラフィックの両方又は一方を配布する方法であって、
テキストとグラフィックの両方又は一方を複数のカード上に印刷パターンとして符号化するステップと、
カードを複数のユーザに配布するステップと、
ユーザのそれぞれに、カードのうちの１枚をスキャンしかつパターンを可読テキストに変換するように装置されている手段を含んでいる電子テキストプレゼンテーション装置を提供するステップと、
を含んでいる、方法が提供される。
【好適な実施形態の詳細な説明】
【００２３】
図面は、一枚のカード上に印刷されているパターンとして符号化されているデータを読み取るように構成されている電子ブックを示している。
【００２４】
図１と図２を参照すると、本発明の好ましい実施形態による電子ブック又は「イーブック」２の前面の図が描かれている。このイーブックは、それぞれスパイン１６に枢動可能に結合されているフロントドア６とリアドア８の形式における第１及び第２のハウジング部分とを含む、折りたたみ可能なハウジングを持つ。クラスプ１４は、イーブックが使用されていないときに２枚のドアを閉じた状態に保持する。フロントドア６の外側は、データカード１８を見ることができる透明なウィンドウ１０を備えている。データカードは、カードスロット２４を通じてウィンドウの下に挿入され、ローラーと噛み合って内部カートリッジ３８（図５）の中に送られる。データカードの片面には、本のタイトルと著者など、ユーザが読み取るための情報が印刷されている。従って、イーブックのユーザは、イーブックに装填されている内容を一目で確認することができる。本のテキストは、データカードの裏側にパターンとして符号化されている。
【００２５】
フロントドア６の外側の上部には、イジェクトボタン１２が配置されている。イジェクトボタンを操作すると、カード１８が内部のローラー機構によってイーブックから排出される。
【００２６】
スパイン１６の底部には、イーブックに給電する２個のＡＡＡサイズのバッテリを収容するバッテリ室を覆っているバッテリカバー４が配置されている。
【００２７】
リアドア８の外側は、図３に示してある。ストレージマガジン２０は、リアドア８から図に示すポジションまで振れるようにヒンジ式になっており、このポジションでは、データカード２２を格納する、又は選択して取り出してカードスロット２４に挿入することができる。
【００２８】
図４は、フロントドアとリアドアとがスパイン１６を中心に開ポジションまで振れている状態のイーブックを示している。このポジションにおいては、フレキシブルＬＣＤ画面２４が見えている。フレキシブルなポリマー基板上に製作されている受動双安定反射型の高分子分散型ＬＣＤ（ＰＤＬＣ）ディスプレイであるＶＧＡ解像度のモノクロ画面が使用されることが好ましい。
【００２９】
双安定画面を使用することによって、静止画像を提示している間は画面に電流が流れないため、電力消費量が低減されている。
【００３０】
ＬＣＤ画面は、カード２４上に符号化されている本のテキストを機能的に表示する。イーブックのユーザは、提示するテキストのページをジョイスティック２６によって制御することができる。
【００３１】
イーブックの内部の配置構成は、分解図である図５を参照することによって理解することができる。図からわかるように、ＬＣＤ２４の下側には２枚のプリント回路基板２６，２８が配置されている。プリント回路基板２８には、その上にスキャナヘッド３０が直接取り付けられている。プリント回路基板２６，２８には、マイクロプロセッサ、ＲＡＭ及びＲＯＭメモリチップ、電源調整回路などの様々な電子コンポーネントが装着されている。本文書に参考とすることにより全体が組み込まれる米国特許出願第０９／１１３，０５３号明細書に説明されているように、ＶＬＩＷマイクロプロセッサ及び付随回路が使用されるものと考えられる。プリント回路基板２６，２８は、フレキシブルＬＣＤ２４の後ろの導電トレース（ｃｏｎｄｕｃｔｉｖｅ  ｔｒａｃｅｓ）によって通信する。導電トレースは、ＬＣＤ画面の周辺接触領域５８，６０において終端処理されており、この周辺接触領域は、プリント回路基板の縁部に折りたたまれてプリント回路基板上の接触パッドとの接続を形成している。
【００３２】
スキャンヘッド３０の隣接部には、減速伝導装置を介してローラー３４を駆動するモーター３２が配置されている。スイッチ３６は、イジェクトボタン１２が押されたことを検出するために設けられている。図６は、内部カートリッジ３８とウィンドウ１０のさらなる分解図も示している。
【００３３】
電気モーターと様々な回路モジュール用の電力は、イーブックのスパイン内のバッテリ室からケーブル２９によってプリント回路基板２８に伝えられる。
【００３４】
図６は、イーブックの様々な電子コンポーネントのブロック図を示している。バッテリ４０からの電力は、電力回路４２によって調整されて、プリント回路基板上に配置されている様々な回路モジュールに分配される。バッテリの寿命を延ばすため、画面の表示が一定であるときにはプロセッサ回路への給電が低減される。電力消費量がほぼ０であることによって、このイーブックは従来の紙の書籍のように常に「オン」である形態をとることができる。
【００３５】
処理モジュール４４は、中央処理装置４６を含んでおり、この装置は、ＢＩＯＳメモリチップ４８とＲＡＭ  ５０と従来の方式にて通信する。このＣＰＵは、プログラムメモリチップ５２に格納されているプログラムに従って動作する。処理モジュールは、イジェクトセンサー３６と、ジョイスティック２６と、スキャナ３０からのデータ信号と制御信号とを受信する。更により複雑な実施形態においては、ＬＣＤ画面２４は、タッチ感応式でもよく、その場合には、処理モジュールも、ユーザがＬＣＤ画面に触れることによって生成されるコマンド信号に応答するものとなる。
【００３６】
動作時、ブックデータカードがカードスロット２４に挿入される。これに応答して、カード挿入センサー４８が、処理モジュール４４に電気モーター３２を始動するように通知する信号を生成し、これによりローラー３４によってカードが内部カートリッジ３８の中に引き込まれる。カードがスキャンヘッド３０に引き込まれると、カード上のパターンが対応するデータ信号に変換され、この信号が、プログラムメモリチップ５２に格納されているソフトウェアに実施されているアルゴリズムに従って、ＣＰＵ４６によって復号される。結果としての復号されたテキストファイルは、ＲＡＭ５０に格納される。
【００３７】
符号化された信号は、ディスプレイコントローラ４４の制御下においてＬＣＤ２４上に可読テキストとして表示される。当然ながら、前述したように、雑誌、或いは児童書、技術書、マニュアルなどの本では、多数のイラストやグラフィックが挿入されていることがある。従って、プログラムメモリチップ５２に格納されているソフトウェアは、ブックデータカード上に符号化されている図を復号するための命令を含んでいてもよい。
【００３８】
処理モジュール４４は、ジョイスティック２６によって生成される信号に応答し、かつ、表示されているテキストの中をユーザが前後に移動することができるようにプログラムされている。特に、処理モジュール４４は、ジョイスティックの動きに応答してＲＡＭ５０から異なるデータセグメントを検索する。
【００３９】
先行技術には、データカードを符号化するためのいくつかの適切なシステムが説明されている。例えば、米国特許第６，１７６，４２７号明細書には、テキストファイルなどのデジタルデータを、Ａ４やレターサイズの紙に印刷可能なパターンに符号化する方法が説明されている。説明されているシステムにおいては、高解像度のプリンタと６００ｄｐｉのスキャナとを使用して、紙の印刷済レターサイズページの片面に１ＭＢ強のデータを符号化することが可能である。本明細書に説明した好ましい実施形態においては、スキャナヘッド３０は、本文書に組み込まれている前述の米国特許出願第０９／１１３，０５３号明細書に説明されているスキャンヘッド技術によって実施されている。このようなスキャナは、４８００ｄｐｉの出力解像度を持つ。
【００４０】
データカードは、上記に参照した米国特許出願第０９／１１３，０５３号に説明されている非常に高い解像度の印刷ヘッドを使用して製造することができることが、更に認識される。従って、寸法８．５ｃｍ×５ｃｍ（３．５”×２”）のデータカード上に格納することのできるデータの量は、約１ＭＢである。データカード上へのテキストの符号化は、本文書に参考とすることにより全体が組み込まれる米国特許出願第０９／１１２，７８１号明細書に説明されているように実行することができる。
【００４１】
従って、１６００万個の印刷インクドットの配列として形成されるパターンによって、小説全体をクレジットカードの大きさの１枚のプラスチックカードに格納することができる。１枚のカードあたりの製造コストは、１セント未満、すなわちフロッピーディスクを製造するコストの約五十分の一である。カードはプラスチックから作製されることが考えられるが、紙など別の基体を使用することも可能であろう。
【００４２】
データカードに格納されるデータは本又は雑誌のテキストに対応するものと考えられるが、実行可能なプログラムファイルを符号化することも可能である。従って、プログラムメモリ４３に格納されているソフトウェアプログラムのアップデートを、符号化されたデータカードの形式において都合よく配布することができる。
【００４３】
次に、イーブックの機械的な配置構成について、更に図７を参照しながら説明する。図７では、フロントドア６とリアドア８が、ヒンジ５０，５２を中心に独立して枢動する。電力ケーブル２９は、ブックを閉じるときのフロントドア６の動きに対応するため、意図的にたるみが残されている。スパイン１６と、フロントドア及びリアドアの外面は、イーブックを完全に開いたときにフレキシブルＬＣＤ画面が皺なく張り、かつ見やすいように平たくなるように構成されている。
【００４４】
図８は、ドア６，８が閉ポジションになっている状態での、イーブックのさらなる横断面図を示している。注目される点として、閉ポジションにおいては、フレキシブルＬＣＤ画面２４の中央部分５４は、スパインとフロントドア及びリアドアとに形成されている、画面を受け入れるためのくぼみによって、スパインの中に湾曲していることができる。この結果、ＬＣＤ画面の折れ曲がりと損傷とが回避される。
【００４５】
図８には、それぞれプリント回路基板の裏側をプリント回路基板２６，２８のそれぞれの外縁部に結合している、画面とプリント回路基板の接触領域５８，６０も見えている。前述したように、プリント回路基板の裏側の導電トレースは、プリント回路基板が電力とデータ信号とを交換するための経路を提供している。
【００４６】
図９は、スパイン１６の長軸線沿いのさらなる横断面図であり、スパイン内に形成されているバッテリ室に配置されている２個のＡＡＡバッテリを示している。
【００４７】
当業者には理解されるように、本明細書に詳細に説明した好ましい実施形態以外の、本発明の実施形態が可能である。従って、添付されている請求項は、好ましい実施形態によって制限されないものとする。
【図面の簡単な説明】
【００４８】
【図１】本発明の好ましい実施形態による装置の第１の透視図である。
【図２】この装置の第２の透視図である。
【図３】この装置の第３の透視図である。
【図４】使用時に開いた状態の装置の透視図である。
【図５】装置の分解透視図である。
【図６】装置のシステムブロック図である。
【図７】図４の線Ｂ−Ｂ’沿いの、開いている装置の横断面図である。
【図８】図４の線Ｂ−Ｂ’沿いの、閉じている装置の横断面図である。
【図９】図４の線Ａ−Ａ’沿いの、装置の横断面図である。
【図６】
2005500633.tif 000003
【国際公開パンフレット】
2005500633.tif 000004
2005500633.tif 000005
2005500633.tif 000006
2005500633.tif 000007
2005500633.tif 000008
2005500633.tif 000009
2005500633.tif 000010
2005500633.tif 000011
2005500633.tif 000012
2005500633.tif 000013
2005500633.tif 000014
2005500633.tif 000015
2005500633.tif 000016
2005500633.tif 000017
2005500633.tif 000018
2005500633.tif 000019
2005500633.tif 000020
2005500633.tif 000021
2005500633.tif 000022
2005500633.tif 000023
2005500633.tif 000024
【国際調査報告】
2005500633.tif 000025
2005500633.tif 000026
2005500633.tif 000027